(57)【要約】      （修正有）【課題】採光効率を低下させずに他方側の遮像性を高めることが可能な採光シートを提供する。【解決手段】シート面が鉛直となるように建物開口部に配置されるシート状である採光シート１５であって、シート面に沿って間隔を有して配置される複数の光透過部１８、及び隣り合う２つの光透過部１８の間に形成される光制御部１９を有し、光制御部は、連続して隣り合う１０個の光制御部１９において、隣り合う光制御部１９のピッチの最大値と最小値との差が、３μｍ以上５μｍ以下の範囲で異なっている。【選択図】図３
2017068104.tif 000002
【特許請求の範囲】
【請求項１】
シート面が鉛直となるように建物開口部に配置されるシート状である採光シートであって、
前記シート面に沿って間隔を有して配置される複数の光透過部、及び隣り合う２つの前記光透過部の間に形成される光制御部を有し、
前記光制御部は、連続して隣り合う１０個の前記光制御部において、隣り合う前記光制御部のピッチの最大値と最小値との差が、３μｍ以上５μｍ以下の範囲で異なっている、採光シート。
【請求項２】
前記光制御部は、連続して隣り合う１０個の前記光制御部において、前記光制御部の厚さの最大値と最小値との差が１０μｍ以上である請求項１に記載の採光シート。
【請求項３】
前記光制御部には前記光透過部と異なる屈折率を有する樹脂が充填されている請求項１又は２に記載の採光シート。
【請求項４】
透光性を有する板状のパネルと、
前記パネルの一方の面に貼付される請求項１乃至３のいずれかに記載の採光シートと、を備える採光パネル。
【請求項５】
開口部に請求項４に記載の採光パネルが設置された建物。
【発明の詳細な説明】
【技術分野】
【０００１】
本発明は、建物等の内部に日光等の外光を採り入れるための装置である採光シート、該採光シートを備える採光パネル及び建物に関する。
【背景技術】
【０００２】
屋内の照明の照明強度を弱めて二酸化炭素の排出量の削減と消費電力の低減を図る一環として、窓に入射された外光を屋内の天井方向に偏向させて採光効率を向上させる採光シートが提案されている。例えば、特許文献１には、透過部と遮光部を交互に並べた構造の光制御シートを例えば窓ガラスに貼り付けて、太陽光の入射角度の違いにより、夏季は屋内への太陽光の取り込みを減少させ、冬季は太陽光の取り込みを増加させる技術が開示されている。
【先行技術文献】
【特許文献】
【０００３】
【特許文献１】特開２０１０−２５９４０６号公報
【発明の概要】
【発明が解決しようとする課題】
【０００４】
特許文献１の採光シートや、その他の採光を目的とした従来の採光シートでは、複数の溝を有するベース部と、これら溝内に充填される複数のルーバー部とを備えており、ベース部とルーバー部との屈折率差を利用して、採光シートに入射された外光を室内の天井や壁方向に導光するようにしている。ところが、ルーバー部は、所定間隔ごとに設けられているため、太陽光の入射角度によっては、ルーバー部の間を通って太陽光が屋内に入り込む際に、採光シートを挟んで反対側を見難くすることがあった。
【０００５】
そこで本発明は上記した問題点に鑑み、採光効率を低下させずに室内外の観察者に対して光学的幻惑を生じさせず、かつ他方側の遮像性を高めることが可能な採光シートを提供することを課題とする。また、当該採光シートを備える採光パネル及び建物を提供する。
【課題を解決するための手段】
【０００６】
以下、本発明について説明する。
【０００７】
請求項１に記載の発明は、シート面が鉛直となるように建物開口部に配置されるシート状である採光シートであって、シート面に沿って間隔を有して配置される複数の光透過部、及び隣り合う２つの光透過部の間に形成される光制御部を有し、光制御部は、連続して隣り合う１０個の光制御部において、隣り合う光制御部のピッチの最大値と最小値との差が、３μｍ以上５μｍ以下の範囲で異なっている、採光シートである。
【０００８】
請求項２に記載の発明は、請求項１に記載の採光シートにおいて、光制御部は、連続して隣り合う１０個の光制御部において、光制御部の厚さの最大値と最小値との差が厚さが１０μｍ以上である。
【０００９】
請求項３に記載の発明は、請求項１又は２に記載の採光シートにおいて、光制御部には光透過部と異なる屈折率を有する樹脂が充填されている。
【００１０】
請求項４に記載の発明は、透光性を有する板状のパネルと、パネルの一方の面に貼付される請求項１乃至３のいずれかに記載の採光シートと、を備える採光パネルである。
【００１１】
請求項５に記載の発明は、開口部に請求項４に記載の採光パネルが設置された建物である。
【発明の効果】
【００１２】
本発明によれば、採光効率を低下させずに室内外の観察者に対して光学的幻惑を生じさせず、かつ採光シートの他方側の遮像性を高めることができる。
【図面の簡単な説明】
【００１３】
【図１】採光パネル１０を具備する窓２が配置された建物１の斜視図である。
【図２】採光パネル１０が適用された窓２の正面図である。
【図３】採光パネル１０の断面を示し、その層構成を模式的に表した図である。
【図４】ロール金型２１の作製を説明する図である。
【図５】光制御層１７の形態例の一つにおける一部を拡大した図である。
【図６】光制御層１７における光路例を説明する図である。
【図７】南中高度が高い場面を説明する図である。
【図８】南中高度が低い場面を説明する図である。
【図９】採光パネル５０の断面を示し、その層構成を模式的に表した図である。
【図１０】光制御層５７の一部を拡大した図である。
【図１１】図１１（ａ）は光制御部５９’を説明する図、図１１（ｂ）は光制御部５９”を説明する図である。
【図１２】光制御層５７における光路例を説明する図である。
【図１３】光制御層５７における他の光路例を説明する図である。
【図１４】光制御層６７の一部を拡大した図である。
【図１５】光制御層７７の一部を拡大した図である。
【図１６】光制御層８７の一部を拡大した図である。
【図１７】合わせガラスの一態様を説明する図である。
【図１８】合わせガラスの他の態様を説明する図である。
【図１９】実施例を説明する図である。
【発明を実施するための形態】
【００１４】
本発明の上記した作用及び利得は、次に説明する発明を実施するための形態から明らかにされる。以下本発明を図面に示す形態に基づき説明する。ただし本発明は当該形態に限定されるものではない。
【００１５】
図１は第一の形態を説明する図であり、窓２（図２参照）が備えられた建物１の外観斜視図である。建物１はいわゆるオフィスビルであり、南側に面する外壁には室内外を連通する複数の開口部が設けられ、ここに採光パネル１０を具備する窓２が配置されている。
【００１６】
図２は、採光シート１５（図３参照）により採光パネル１０が形成され、採光パネル１０が適用された窓２を正面から見た図である。窓２は、採光パネル１０と、該採光パネル１０のうち、少なくともパネル１１（図３参照）の外周部に沿ってパネル１１を縁取るように配置された枠３を有して構成されている。そして当該窓２が建物１の開口部に配置される。このように枠及びその枠内にパネルが備えられることにより窓が形成されること自体は公知の構成と同様である。従って枠３の形状も公知のものを適用することができる。
ここで当該窓２は、建物に予め配置されている窓に採光シート１５を貼付することにより形成することもできる。このときには建物には通常パネル及びその外周部を縁取る枠を備えているので、このパネルに採光シート１５を貼付することで窓２とすることができる。
【００１７】
図３は、図２にＩＩＩ−ＩＩＩで示した線に沿った鉛直方向における断面図のうち採光パネル１０の部分に注目した断面であり、その層構成を模式的に表した図である。図３では見易さのため、繰り返しとなる符号は一部省略している（以降に示す各図において同じ。）。
【００１８】
採光パネル１０は、パネル１１、及びパネル１１に接着層１２により貼付された採光シート１５を有している。そして採光シート１５は、基材層１６、光制御層１７、ハードコート層２０を備えている。以下、採光パネル１０を構成するこれらの構成要素について説明する。なお、図３では採光パネル１０が鉛直になるように建物等に取り付けられた姿勢で表されており、図３の紙面左が室外側、紙面右が室内側、紙面上方が天、紙面下方が地となる。
【００１９】
パネル１１は、窓ガラスや樹脂パネル等、通常の建物や乗り物の窓等に用いられる透光性を有する板状の透光パネルである。従って、パネル１１を構成する部材としては公知の板ガラスや樹脂パネルを用いることができる。
ここでパネル１１は上記のように建物に予め配置されている窓ガラスを用いてもよい。すなわち、建物に備えられた窓に採光シート１５を貼付することにより採光パネル１０を形成することもできる。
【００２０】
接着層１２は、パネル１１に採光シート１５を接着するための層である。接着層１２を構成する材料としては、このような接着が可能であれば特に限定されず、公知の粘着剤、接着剤、光硬化性樹脂、熱硬化性樹脂等を用いることができる。粘着剤を例示すれば、例えばアクリル系の粘着剤を挙げることができ、さらに具体的にはアクリル系共重合体とイソシアネート化合物とを組み合わせた粘着剤がある。ただし、接着層１２を構成する材料は、採光パネル１０の性質上、透光性、耐候性に優れた材料によることが好ましい。
【００２１】
接着層１２の厚さは特に限定されないが、１０μｍ以上１００μｍ以下であることが好ましい。接着層１２が薄過ぎるとパネル１１と採光シート１５との密着性が低下する虞がある。また、接着層１２が厚過ぎると接着層１２の厚さを均一にすることが困難になる。
【００２２】
接着層１２には、赤外線、紫外線、及び可視光線の少なくとも１つを吸収する機能を有してもよい。「赤外線、紫外線、及び可視光線の少なくとも１つを吸収する」とは、赤外線、紫外線、および可視光線のいずれかに分類される電磁波のうち所定の波長の電磁波を吸収することを意味する。また、「吸収する」とは、上記所定の波長の電磁波を１０％以上吸収することを意味する。
【００２３】
かかる機能を有する層とするためには、赤外線、紫外線、及び可視光の少なくとも１つを吸収できる吸収剤を含有させればよい。
【００２４】
赤外線を吸収する吸収剤としては、アンチモンドープ酸化スズ（ＡＴＯ）またはスズドープ酸化インジウム（ＩＴＯ）、フタロシアニン化合物などの金属酸化物超微粒子などが挙げられる。これらの吸収剤を添加したり表面に塗布したりすることによって、赤外線を吸収できる。このように採光シートに赤外線を吸収する機能を付加することによって、例えば、特に夏場における室内温度の上昇を抑制して冷房の使用を抑えられる等の効果を奏する。
【００２５】
紫外線を吸収する吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）等が挙げられる。これらの吸収剤を添加したり表面に塗布したりすることによって、紫外線を吸収できる。採光シートに紫外線を吸収する機能を付加することによって、例えば、室内に居る人の皮膚への悪影響や室内にある家具の退色等を抑制する等の効果を奏する。
【００２６】
可視光線を吸収する吸収剤としては、カーボンブラック等の光吸収性の着色粒子が好ましく用いられる。ただし、これに限定されず、例えば吸収すべき光の特性に合わせて特定の波長を選択的に吸収する着色粒子を用いてもよい。着色粒子の具体例としては、カーボンブラック、グラファイト、黒色酸化鉄等の金属塩、染料、顔料等で着色した有機微粒子や着色したガラスビーズ等を挙げることができる。これらの中では、コスト面、品質面、入手の容易さ等の観点から着色した有機微粒子が好ましい。より具体的には、カーボンブラックを含有したアクリル架橋微粒子や、カーボンブラックを含有したウレタン架橋微粒子等が好ましい。これらの吸収剤を添加したり表面に塗布したりすることによって、可視光線を吸収できる。採光シートに可視光線を吸収する機能を付加することによって、例えば、夏など太陽高度の高い季節に生じる高い光量や、室内におけるまぶしさを和らげることができる。
【００２７】
上記のような吸収剤を含有させることによって、採光シートを建物の採光部に配置したときに、より快適な室内環境を提供することができる。当該吸収剤は、赤外線、紫外線、および可視光線のいずれかに分類される電磁波のうち所定の波長の電磁波を吸収できればよく、赤外線のみを吸収するように構成してもよく、紫外線のみを吸収するように構成してもよく、可視光線のみを吸収するように構成してもよく、赤外線、紫外線、および可視光線のうち２種以上の電磁波を吸収できるように構成してもよい。いずれの波長の電磁波を吸収できるように構成するかは、採光シートの設置場所や設置目的に応じて適宜選択可能である。また、吸収する電磁波の波長や吸収率は、上述した吸収剤の種類や量を適宜調整することによって調節できる。
なお、吸収剤を含む層における上記所定の波長の電磁波の吸収率は１０％以上であり、９０％以下であることが好ましい。吸収率が１０％未満であれば吸収剤を含有させる効果を得難く、９０％以下とすれば吸収剤を構成する組成物の調整が容易である。
【００２８】
基材層１６は、光制御層１７を形成するための基材となる層であり、透光性を有するとともに、光制御層１７の変形を防止できるように支持する。かかる観点から、基材層１６を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００２９】
基材層１６の厚さは特に限定されないが、２５μｍ以上３００μｍ以下であることが好ましい。基材層１６の厚さがこの範囲を外れると、加工性に問題を生じる虞がある。例えば、基材層１６が薄過ぎればしわが生じやすくなる。また、基材層１６が厚過ぎれば、中間工程において巻き取ることが難しくなる。
【００３０】
光制御層１７は、一方の面側から入射した光（後述するように、特に斜め上方から入射した光）の向きを変えて（偏向させて）他方の面側に出射する層である。光制御層１７は、図３に示した断面を有して紙面奥／手前側に延在する形状を有する。すなわち、図３に表れる断面において、台形である光透過部１８、及び、隣り合う光透過部１８の間に形成された断面が台形の凹部内に形成された光制御部１９を備えている。本形態では光透過部１８の基材層１６側が連結している。そして、光透過部１８及び光制御部１９は当該断面を有してシート面の一方向（本形態では水平方向）に延び、当該一方向とは異なる方向（本形態では鉛直方向）に複数の光透過部１８及び光制御部１９が配列されている。
光制御層１７のいずれかの部位には、赤外線、紫外線、及び可視光の少なくとも１つを吸収できる吸収剤を含有してもよい。特に、赤外線吸収剤を入れることで、太陽高度の高い夏は光制御層で赤外線を吸収させやすいため涼しく、太陽高度の低い冬は光制御層で赤外線を吸収させ難いため暖かく、過ごしやすい室内環境にすることができる。
【００３１】
光透過部１８は光を透過する部位であり、光透過部１８の基材層１６側の面とその反対側の面（保護層２１側の面）とが平行に形成されていることが好ましい。これによって、後に説明するように採光パネル１０を窓２に適用した場合に室内側から室外側の景色がさらに見やすくなる。好ましくは光透過部１８は光を散乱させることなく透過する。これにより背面側の景色の見易さが向上する。ここに「光を散乱させることなく透過する」とは、意図的に散乱させる材料等を添加することなく形成された部位であることを意味し、材料中を光が透過するときに不可避的に散乱が生じることは許容される。
【００３２】
光透過部１８を構成する材料は、基材層１６と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
光透過部１８と基材層１６とを同じ材料で構成する場合には、基材層１６と光透過部１８とを一体に形成することもできる。また、光透過部１８と基材層１６とを異なる材料で構成する場合、及び同じ材料で構成する場合であっても、基材層１６と光透過部１８とを別々に形成し、公知の手段により積層してもよい。
光透過部１８の形成方法の具体例は後で説明する。
【００３３】
光透過部１８を構成する材料としては、例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）を挙げることができる。
光透過部の具体的な屈折率としては、１．５０〜１．８０の範囲内であることが好ましく、特に１．５５〜１．６５の範囲内であることが好ましい。
【００３４】
光透過部１８はシート面に沿った方向に後で説明する間隔で配列される。従って、隣り合う光透過部１８の間には、台形断面を有する凹部が形成されている。該凹部は、光透過部１８の上底側に下底を有し、光透過部１８の下底側に上底を有する台形状の断面を有した溝であり、ここに後述する必要な材料が充填されることにより光制御部１９が形成される。すなわち、図３に表れる断面において、光透過部１８は、基材層１６側となる面（本形態では室内側）に下底を有し、これとは反対側の面（本形態では室外側）に該下底より短い上底を有する台形の断面を有する要素である。
【００３５】
光制御部１９は、上述したようにここに到達した光の向きを変える（偏向する）部位であり、本形態では、光透過部１８と光制御部１９との界面に到達した光を全反射して向きを変えるように構成されている。そのため、光制御部１９は光透過部１８よりも屈折率が低い材料が充填されている。これによれば、光制御部１９と光透過部１８との屈折率差、及びその界面に入射する光の角度の関係により、該入射した光が全反射条件を満たせばここでその光を全反射して向きを変えさせることができる。後で詳しく説明するが、向きが変えられた光は例えば天井に照射されるなどしてまぶしさを与える直達光でなくなることができる。光制御部１９を形成する材料の屈折率は１．５６以下が好ましく、原材料の汎用性から１．４５以上１．５６以下の範囲が好ましく、１．４７以上１．５０以下であることがより好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系などが挙げられる。例えば、アクリレート系の電離放射線硬化性樹脂は、単官能（メタ）アクリレートモノマー、２官能（メタ）アクリレートモノマーモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００３６】
また、そのときにおける光透過部１８と光制御部１９との屈折率差は、０．０３以上が好ましく、より好ましくは０．０５以上０．１３以下である。屈折率差が０より大きく０．０３より小さい範囲では、全反射時の波長分散（波長により全反射角度が異なることによる分散。）が生じた際に長波長の成分が全反射せず、短波長の成分のみが全反射することがあり、色彩の変化が生じる虞がある。一方、屈折率差が０．１３より大きいと、短波長の成分の屈折率が長波長の屈折率の成分の屈折率に対して大きくなる傾向にあり、虹状のムラが顕著に表れる虞がある。
ただし、より多くの光を全反射させる必要がある場合に、大きく屈折率差を取ることを妨げるものではなく、その場合には、光制御部１９に空気等の気体を充填して多くの光を全反射させることもできる。
【００３７】
また、光制御部１９と光透過部１８との界面において光を拡散させて眩しさを軽減する観点からは、光透過部１８と光制御部１９との界面を微材な凹凸面（マット面）としてもよい。
【００３８】
このように光制御部１９は隣合う光透過部１８の間の凹部に形成されるので、その形状も凹部に沿ったものとなる。従って本形態では光制御部１９は基材層１６側（本形態では室内側）に短い上底、それとは反対側（本形態では室外側）に長い下底を有する略台形断面を有し、その間に斜辺を有している。この斜辺は光透過部１８との界面を構成し、共通の斜辺となる。
【００３９】
光制御部１９（光透過部１８）の断面における台形断面における脚部の角度θ１は、シート面法線に対して０度以上２０度以下であることが好ましい。θ１が０度未満（これは図３に表れる断面において、光制御部１９の基材層１６側の幅よりパネル１１側の幅が短い形状になることを意味する。）になるように光制御部１９を形成するとすれば、後述するようにして光制御層１７を形成する際に用いる金型の作製が困難になり、また、作製しても離型性に問題が生じる虞がある。一方、θ１が大き過ぎると開口幅（図３に表れる断面において、光制御部１９のパネル１１側の幅）に対する高さ（光制御層１７の厚さ方向の大きさ）のアスペクト比を大きくする事が困難になり、光制御層１７によって後述する所望の効果を得ることが難しくなる。
【００４０】
図３にＰで示した、光制御部１９が配列されるピッチＰは、特に限定されることはないが、１０μｍ以上２００μｍ以下であることが好ましく、２５μｍ以上２００μｍ以下であることがさらに好ましい。光制御部１９のピッチが狭すぎると、光制御層１７によって後述する所望の効果を得ることが難くなり、回折現象により、光透過部１８を透過した像が虹状になる不具合が生じる虞がある。また、光制御部１９のピッチが広すぎると、光制御部１９を形成することが困難になったり、後述するようにして光制御層１７を作製する際に金型の離型性や加工性に問題を生じる虞がある。
【００４１】
さらに、ある１つの光制御部１９に隣接する光制御部１９とのピッチＰについて、連続する１０個の光制御部を考える。当該１０個の光制御部において、隣り合う光制御部のピッチＰの最大値と最小値との差が、３μｍ以上５μｍ以下の範囲で異なっている。これにより、採光性能を低下させることなく他方側の遮像性を高めることが可能となる。これは、光制御部１９のピッチを複数の光制御部間で適切に変えることにより、偏向する入射光（外光）や、偏向後の光の状態の規則性が緩和され、また副次的に、光制御部の配置規則性を緩和する事で規則的配置に起因する視認性をも低くし、特に窓から離れた位置において採光シート越しに観察を行う際に、モアレや干渉による像の分離などの光学的幻惑を与える事なく、かかる観点において採光シートを挟んで遮像性を高めることができたと考えられる。
ここで、「当該１０個の光制御部において、隣り合う光制御部のピッチＰの最大値と最小値との差が、３μｍ以上５μｍ以下の範囲で異なっている」について、１つの採光シートには非常に多くの光透過部及び光制御部が含まれるところ、そのうちの少なくとも５０％の光制御部において上記を満たしていればよい。また、上記の通り互いに隣接している必要もない。
【００４２】
また、光制御部１９の開口幅Ｗは特に限定されないが、上記ピッチの関係を満たす範囲において、５μｍ以上１５０μｍ以下であることが好ましい。光制御部１９の開口幅Ｗが狭すぎると、光制御層１７によって後述する所望の効果を得ることが難くなる。また、光制御部１９の開口幅が広すぎると、光制御部１９を形成することが困難になったり、後述するようにして光制御層１７を作製する際に金型の離型性や加工性に問題を生じる虞がある。
【００４３】
光制御部１９の厚さＤは特に限定されないが、５０μｍ以上３００μｍ以下であることが好ましい。光制御部１９が薄過ぎると後述する所望の効果を得難くなったり、微細な加工（光制御部１９の形成など）を施すことが難しくなったりする虞がある。また、光制御部１９が厚過ぎると後述するようにして光制御層１７を作製する際に、金型から離型し難くなるなど、加工性に問題を生じる虞がある。
【００４４】
ここで、ある１つの光制御部１９に隣接する光制御部１９との厚さの差について、連続する１０個の光制御部を考える。当該１０個の光制御部において、厚さＤの最大値と最小値との差が１０μｍ以上であることが好ましい。これにより、採光性能を低下させることなく採光シートを挟んで遮像性を高める効果がさらに顕著なものとなる。ただし、当該差は２０μｍ以下であることが好ましい。この差２０μｍを超えると金型からの離型性が落ちる虞がある。
ここで、「当該１０個の光制御部において、厚さＤの最大値と最小値との差が１０μｍ以上である」について、１つの採光シートには非常に多くの光透過部及び光制御部が含まれるところ、そのうちの少なくとも５０％の光制御部において上記を満たしていればよい。また、前記のとおり互いに隣接している必要もない。
【００４５】
本発明において光透過部及び光制御部の形状は図３に示した形態に限定されない。したがって、図３に表れる断面に相当する断面において、光透過部は矩形であってもよく、上記台形の斜辺に相当する部分が曲線状（当該曲線の接線が各部において上記θ１と同じ条件であることが好ましい。）や折れ線状（折れ線を構成する各線が上記θ１と同じ条件であることが好ましい。）となっていてもよい。後で他の形態としてその一部を説明する。
【００４６】
ハードコート層２０は、表面保護を目的として、採光パネル１０のうちパネル１１とは反対側の最表面に設けられる層である。ハードコート層２０は透明な樹脂層として形成することができ、擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系などが挙げられる。例えば、アクリレート系の電離放射線硬化性樹脂は、単官能（メタ）アクリレートモノマー、２官能（メタ）アクリレートモノマーモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００４７】
また、ハードコート層２０には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とが共存）などが挙げられ、イオン導電タイプではリチウム塩系材料などが挙げられる。また、撥水性向上のために用いることができる材料としては、フッ素系化合物などが挙げられる。
【００４８】
以上説明した採光パネル１０は例えば次のように製造することができる。
【００４９】
採光パネル１０は、パネル１１に接着層１２により採光シート１５を貼合することによって製造することができる。そして採光シート１５は、例えば次のように作製する。
【００５０】
光制御層１７は金型ロールを用いる方法により形成する。すなわち、円筒状であるロールの外周面に光制御層１７の光透過部１８を転写可能な凹凸が設けられた金型ロールを準備する。このとき、金型ロールは例えば次のように作製することができる。図４に説明のための図を示した。金型ロール２１の表面に対しては、光透過部１８に対応する断面形状を有する溝２１ａ、２１ｂ、２１ｂを複数の切削工具２２、２３、２４により形成する。すなわち、隣り合う溝同士は異なる切削工具により形成されるように溝２１ａ、２１ｂ、２１ｃにより形成されるように切削を行う。そして切削工具２２、２３、２４ごとに、上記説明した光透過部１８、光制御部１９のピッチＰ及び光制御部１９の厚さＤの関係を満たすことができるように条件を設定する。これによれば、一つの工具については一つの切削条件を設定すればよく、設定が複雑になることを回避することができる。また、安定した加工が可能となり、工具の寿命向上や、切削精度の向上も図られる。
用いられる切削工具の員数は複数であれば特に限定されることはないが、３つの工具を用いることが効率の観点から好ましい。また、必ずしも複数の切削工具を同時に用いることはなく、一つの工具による切削が完了してから次の切削工具による切削が開始されても良いし、時間差で切削を開始してもよい。
【００５１】
次に、このようにして作製された金型ロールとこれに対向するように配置されたニップロールとの間に、基材層１６となる基材を挿入する。基材の一方の面と金型ロールとの間に光透過部１８を構成する組成物を供給しながら金型ロール及びニップロールを回転させる。これにより金型ロールの表面に形成された凹凸の凹部内に光透過部１８を構成する組成物が充填され、該組成物が金型ロールの凹凸の表面形状に沿ったものとなる。
【００５２】
ここで、光透過部１８を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００５３】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００５４】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００５５】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部１８の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００５６】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００５７】
金型ロールと基材との間に挟まれ、ここに充填された光透過部１８を構成する組成物に対し、基材側から光照射装置により光を照射する。これにより、光透過部１８を構成する組成物を硬化させ、その形状を固定させることができる。そして、離型ロールにより金型ロールから基材層１６及び成形された光透過部１８を離型する。
【００５８】
次に、光透過部１８の凹部に光制御部１９を構成する組成物を充填して硬化させることによって、光制御部１９を形成することができる。具体的には、光透過部１８の凹部に光制御部１９を構成する組成物を過剰に供給し、その余剰分をブレードにより掻き取ることによりその量を調整するとともに凹部に組成物を充填する。そして凹部内に充填された組成物を適切な方法で硬化させる。
このようにして、基材層１６上に光制御層１７が形成された中間シートを得ることができる。
【００５９】
そして、一方、中間シートのうち、基材層１６上にハードコート層２０、光制御層１７の上に接着層１２を積層し、採光シート１５を得る。
以上のように作製した採光シート１５を接着層１２によりパネル１１に貼合することで採光パネル１０とする。
【００６０】
次に、採光パネル１０により窓２を形成し、これを建物１の開口部に配置した場面における主要な光路について説明する。図３に模式的な光路例を示した。なお当該光路例は概念的に示したものであり、屈折、反射の程度等を厳密に表したものではない。
【００６１】
日光が想定される斜め上方から採光パネル１０に照射された外光Ｌ３１は、パネル１１、接着層１２を透過して光制御層１７の光制御部１９に到達する。光制御部１９に到達した外光Ｌ３１は、光制御部１９によって向きが変えられる。本形態では、当該外光Ｌ３１の入射角と、光透過部１８と光制御部１９との屈折率差により、当該界面で全反射により偏向される。そして、全反射された光は、基材層１６及びハードコート層２０を透過して室内側に入射する。このとき、室内側に入射する光は上方に偏向されているので、外光の直射を防止することが可能であり、さらに室内側空間の広い範囲を外光で照らす。
【００６２】
また、このように採光シート１５を備える採光パネル１０では上記偏向の際に光制御部１９で外光を積極的に吸収することなく室内側に反射させて採り入れることができるため、効率良く光を採り入れることもできる。
【００６３】
また、本形態では、光制御部１９において上記したように複数の光制御部間でピッチ差が設けられているので、採光性能を落とすことなく採光シートを挟んで他方側の遮像性を高めることができる。また、光制御部１９の厚さについても複数の光制御部間で上記のように差が構成されていれば、その効果はさらに顕著になる。
【００６４】
一方、室内側から室外を見たとき、観察者における採光シートから近い位置からの視線は図３の光Ｌ３２による。すなわち、パネル１１に対して平行な面である光透過部１８の基材層１６側の面及びその反対側面を介して室外を観察することができる。この部分では界面における大きな屈折がないので、室外側の景色を鮮明に見ることが可能である。
【００６５】
以上のように、採光パネル１０によれば、外光を効率良く室内に採り入れつつ、室内側から外の景色を比較的鮮明に見ることが可能である。
【００６６】
さらに、本形態において次のように光制御層１７を構成することができる。図５には光制御層１７の一部を拡大した図を示した。上記のように、２つの光制御部１９の間には上記のように光透過部１８が配置される。従って、図５にＶａで示したように光透過部１８の対角線に相当する線を定義することができる。より詳しくは、隣り合う光制御部１９の向かい合う辺について、下方に配置される光制御部１９の辺の室内側端部と、隣接して上方に配置される光制御部１９の辺の室外側端部とを結ぶ線Ｖａを見込み線とし、該見込み線Ｖａが水平面となす角のうち９０度以下の方の角を見込み角θａとする。本形態では当該θａが所定の値をとることが好ましい。
また、光制御部１９の台形断面における脚部は、図５からわかるように、上方側となる脚部は水平面（採光シート１５のシート面の法線）に対してθＵを有して傾斜し、下方側となる脚部は同様にθＤを有して傾斜している。
【００６７】
見込み角θａの好ましい値について主要な光路に基づいて説明する。説明に必要な光路例を以下に示す図面に適宜表した。
【００６８】
図６に１つの光路例である太陽からの光ＬＳ１を示した。図６からわかるようにＬＳ１はそのときの太陽高度に基づいて仰角（水平面からなす角）θＳ１で採光パネル１５に照射される。採光パネル１５に入射した光ＬＳ１は採光パネル１５を透過するうちに光制御層１７の光透過部１８内を進む。光透過部１８内では、該光透過部の屈折率をＮＰ、室外の屈折率をＮ０とすれば、光ＬＳ１は、式（１）で表される太陽光進行角θＰ１で進む。
【００６９】
【数１】
2017068104.tif 000003
【００７０】
太陽光進行角θＰ１で進行した太陽光が光透過部１８と光制御部１９との界面に達したとき、上記のように、太陽光を全反射することができる。これにより太陽光が偏向されて、まぶしさの原因となる直達光を抑制することが可能となる。
【００７１】
上記のように採光シート１５によれば、見込み角θａによらず、効率よく室内に太陽光を取り入れつつも直達光の少なくとも一部をなくすことができる。ただし、より効果的に太陽光を光制御部１９に照射させ、太陽光を向きを変えて室内側に出射させる観点から見込み角θａを所定の角度範囲に規定することができる。以下に詳しく説明する。
【００７２】
図７に説明図を示した。ここでは、一年のうち最も南中高度が高いときの仰角θＳＨを考える。すなわち、少なくとも一年のうちで最も南中高度が高いときの仰角θＳＨで太陽光が採光パネル１５に入射したときに、太陽光からの直接光を全て光制御部１９に到達させる観点からθａを規定することができる。図７からわかるように、仰角θＳＨで入射した光ＬＳＨが必ず光制御部１９に達するための限度は、光透過部１８内を光ＬＳＨが見込み線に沿って進む状況である。すなわち、光透過部１８内における太陽光進行角θＰＨが見込み角θａと同じとなっていればよい。従って、これは、空気の屈折率をＮ０、光透過部の屈折率をＮｐとしたとき、屈折率、及び入射角の関係式により下記式（２）で表される。
【００７３】
【数２】
2017068104.tif 000004
【００７４】
式（２）から、見込み角θａを下記式（３）を満たすように構成することにより、少なくとも一年のうちで最も南中高度が高いときの仰角θＳＨで太陽光が採光パネル１５に入射したときに、太陽光からの直接光を全て光制御部１９に到達させることができる。
【００７５】
【数３】
2017068104.tif 000005
【００７６】
θＳＨは、所定の場所における南中高度が最も高い位置における仰角であるから、当該所定の場所ではこれ以上角度の大きい仰角は存在しない。従って、これより低い所定の仰角の太陽光までをも同様に光制御部１９に全て到達させるためには、式（１）を満たしつつ、さらに式（２）、式（３）のθＳＨのかわりに当該所定の仰角を考慮すれば同様にθａのとるべき値を得ることができる。
【００７７】
例えば、一年のうち南中高度が最も高い時の仰角θＳＨと、一年のうち南中高度が最も低い時の仰角θＳＬとの間の仰角θＳＭ以上の仰角からの直接の太陽光を光制御部に到達させたいときには、式（３）を満たしつつ式（４）を満たすように見込み角θａを形成すればよい。
【００７８】
【数４】
2017068104.tif 000006
【００７９】
このように見込み角θａを所定の角度にするための手段は、光制御部のピッチ、光制御部の脚部の角度（図５のθＵ、θＤ）、光制御部の厚さ方向（図５の紙面左右方向）の大きさを変更することを挙げることができる。これらを単独、又は複数組み合わせてθａを所定の角度に調整することが可能である。
【００８０】
このようにθａを小さくすることにより、季節による南中高度の違いだけでなく、一日のうちにおける太陽の高さの移動に伴う仰角の変化に対しても対応することができ、より多くの太陽光を光制御部に到達させて全反射し、室内側に提供することが可能となる。
【００８１】
一方で、θａを小さくすることにより光制御層１７が厚くなったり、光透過部が小さくなったりすることもある。これらにより、室外側の視認性が低下する虞もある。かかる観点から、θａの下限は特に限定されるものではないが、例えば図８に示したように一年のうち最も南中高度が低いときの仰角θＳＬからの直接の太陽光を全て光制御部１９に到達させる観点からθａの下限を決めてもよい。図８に説明のための図を示した。
基本的な考え方は式（２）、式（３）の算出と同様であるから、図８からわかるように、仰角θＳＬによる太陽光ＬＳＬが見込み線に沿うように進むことを考えればよいので、式（５）を得ることができる。
【００８２】
【数５】
2017068104.tif 000007
【００８３】
ここで、θＰＬは、仰角θＳＬのときの光透過部の太陽光進行角である。従って、式（３）及び式（５）を求めた趣旨から式（６）を得ることができる。
【００８４】
【数６】
2017068104.tif 000008
【００８５】
ここでより具体的な例を挙げる。日本国内を考えたとき、札幌、東京、沖縄における一年のうち南中高度が最も高い時の仰角（θＳＨ）、一年のうち南中高度が最も低いときの仰角（θＳＬ）をそれぞれ表１に示した。
【００８６】
【表１】
2017068104.tif 000009
【００８７】
表１に基づいて、日本国内におけるθａの範囲を式（７）又は式（８）のように構成してもよい。
【００８８】
【数７】
2017068104.tif 000010
【００８９】
【数８】
2017068104.tif 000011
【００９０】
式（７）によれば、日本国内の概ね全域において少なくとも夏至における南中高度からの太陽光の全ての直射光を光制御部に到達させることができる。また、式（８）によれば、さらに高い視認性を有しつつ、多くの太陽光を光制御部に到達させることが可能である。
【００９１】
図９は、第二の形態を説明する図であり、採光パネル５０の層構成を模式的に表す断面図で図３に相当する。図９において、図３と同様の構成のものには同じ符号を付しており、これらについては説明を省略する。
【００９２】
採光パネル５０は、パネル１１、接着層１２、及び接着層１２によりパネル１１に貼合された採光シート５５を備えている。また、採光シート５５は、光制御層５７、基材層１６、ハードコート層２０を備えている。
【００９３】
光制御層５７は光透過部５８及び光制御部５９を有している。光透過部５８は、図９に示した断面を有して基材層１６の面に沿った一方向（建物１に配置された姿勢で水平方向）に延びるように配置されるとともに、該一方向とは異なる方向の基材層１６の面に沿って（建物１に配置された姿勢で鉛直方向）複数の光透過部５８が所定の間隔で配列されている。本形態では隣り合う光透過部５８は基材層１６側の端部で連結され、一体化されている。
一方、光制御部５９は隣り合う光透過部５８の間に配置されている。
【００９４】
図１０には光制御層５７の一部を拡大した図を示した。
光透過部５８は、光を透過する部位であり、光制御層５７のうち光透過部５８が配置された部位における基材層１６側の面とその反対側面（接着層１２側の面）とは平行に形成されている。好ましくは光透過部５８は光を散乱させることなく透過する。これにより背面側の景色の見易さが向上する。ここに「光を散乱させることなく透過する」とは、意図的に散乱させる材料等を添加することなく形成された部位であることを意味し、材料中を光が透過するときに不可避的に散乱が生じることは許容される。
【００９５】
本形態では光透過部５８は図９、図１０に表れる断面で２つの光制御部５９間において略台形の断面を有しており、室外側が短い上底、室内側が長い下底であり光制御部５９との界面を構成する辺が脚部となっている。ただし、脚部は後述する光制御部５９の形状に沿った形状となるので、必ずしも一直線ではない。
【００９６】
光透過部５８を構成する材料、光制御部５９を構成する材料は、上記した光透過部１８、光制御部１９と同様である。
【００９７】
さらに、本形態では光制御部５９は次のような形状を構成を備えている。図１０を参照しつつ説明する。
光制御部５９は図１０に表れる断面において、多角形状を有している。そのうち、採光パネル５０を建物１に配置した姿勢において、上部となる側は２つの辺５９ａ、５９ｂが室内外方向に連続するように配置され下に凸になるように形成されている。すなわち、室外側に辺５９ａ、室内側に辺５９ｂが配置されている。
【００９８】
これら２つの辺５９ａ、５９ｂは、図１０に表された姿勢とされたとき、その傾斜角が水平面（採光シート５５のシート面の法線）に対してそれぞれ異なる角度θＵ１及びθＵ２を具備している。ここで、θＵ１及びθＵ２は室外側（太陽側）に向けて上となるように傾斜し、θＵ１はθＵ２より大きな角度とされる。これにより、季節や時間により異なる太陽の高度を考慮し、太陽光を光透過部５８と光制御部５９との界面で全反射して偏向することができる場面を拡大することができる。従って、角度θＵ１及び角度θＵ２もかかる観点から決められることが好ましい。詳しくは光路例を示しつつ後で説明する。
一方、辺５９ａ、５９ｂとは反対側となる下部となる側の辺５９ｄは、その傾斜角が水平面（採光シート５５のシート面の法線）に対してθＤ１とされている。θＤ１は特に限定されることはないが、製造の観点から０度以上３０度以下とすることが好ましい。
【００９９】
そして本形態においても光制御部５９のピッチ、及び光制御部の厚さに関する考え方は上記光制御部１９と同じである。
【０１００】
図１１には、変形例に係る光制御部の断面形状を表した。
図１１（ａ）は、上部となる側の辺が下に凸（すなわち凹状）である光制御部５９’の例を示した。この例では、最も室外側となる部位における接線の傾斜角が水平面（採光シート５０のシート面の法線）に対して角度θＵ１、最も室内側となる部位における接線の傾斜角が水平面（採光シート５０のシート面の法線）に対して角度θＵ２となればよい。
図１１（ｂ）は、上部となる側の辺が室外側から３つの辺５９’’ａ、５９’’ｃ、５９’’ｂにより形成されて下に凸（すなわち凹状）となる光制御部５９’’の例である。この例では、最も室外側となる辺５９’’ａの傾斜角が水平面（採光シート５０のシート面の法線）に対して角度θＵ１、最も室内側となる辺５９’’ｂの傾斜角が水平面（採光シート５０のシート面の法線）に対して角度θＵ２となり、間に配置される辺５９’’ｃの傾斜角は、水平面（採光シート５０のシート面の法線）に対して角度θＵ３であり、θＵ２＜θＵ３＜θＵ１であることが好ましい。
ここでは３つの辺３つの辺５９’’ａ、５９’’ｃ、５９’’ｂからなる光制御部の例を説明したが、これに限らずさらに多くの辺により形成されていてもよい。
【０１０１】
これら図１１（ａ）、図１１（ｂ）に記載のような光制御部によっても図１０で示した形状の光制御部と同様の効果を奏するものとなる。さらに図１１（ａ）、図１１（ｂ）による形状によれば、全反射による波長分散による虹状のムラの発生を抑制することが可能となる。
【０１０２】
次に、このように採光シート５０が建物１に配置された場面における作用、及び上記説明した角度θＵ１、θＵ２の好ましい値について、主要な光路に基づいて説明する。説明に必要な光路例を以下に示す図面に適宜表した。
【０１０３】
図１２に１つの光路例である太陽からの光ＬＳ２を示した。図１２からわかるようにＬＳ２はそのときの太陽高度に基づいて仰角（水平面からなす角）θＳ２で採光パネル５０に照射される。採光パネル５０に入射した光ＬＳ２は採光パネル５０を透過するうちに光制御層５７の光透過部５８内を進む。光透過部５８内では、該光透過部の屈折率をＮＰ、室外の屈折率をＮ０とすれば、光ＬＳ２は、式（９）で表される太陽光進行角θＰ２で進む。
【０１０４】
【数９】
2017068104.tif 000012
【０１０５】
太陽光進行角θＰ２で進行した太陽光が光透過部５８と光制御部５９との界面のうち傾斜角がθＵ２である部位に達したとき、光透過部５８と光制御部５９との屈折率差、及び太陽光進行角θＰ２の関係が全反射臨界角以上であれば図１２のように界面で全反射する。これにより太陽光が偏向されて、まぶしさの原因となる直達光を抑制することが可能となる。
【０１０６】
図１３には他の光路例である太陽からの光ＬＳ３を示した。図１３からわかるようにＬＳ３はそのときの太陽高度に基づいて仰角（水平面からなす角）θＳ３で採光パネル５０に照射される。ここで、θＳ３はθＳ２よりも大きい角度である。採光パネル５０に入射した光ＬＳ３は採光パネル５０を透過するうちに光制御層５７の光透過部５８内を進む。光透過部５８内では、該光透過部の屈折率をＮＰ、室外の屈折率をＮ０とすれば、光ＬＳ３は、式（１０）で表される太陽光進行角θＰ３で進む。
【０１０７】
【数１０】
2017068104.tif 000013
【０１０８】
この例では、太陽光進行角θＰ３で進行した太陽光が光透過部５８と光制御部５９との界面のうち傾斜角がθＵ１である部位に達したとき、光透過部５８と光制御部５９との屈折率差、及び太陽光進行角θＰ３の関係が全反射臨界角以上であれば図１５のように界面で全反射する。これにより太陽光進行角θＰ３より仰角が小さい角で光透過部５８を進み、さらに室内側に配置される傾斜角がθＵ２である部位に達してここで全反射される。これにより太陽光が偏向されて、まぶしさの原因となる直達光を抑制することが可能となる。
すなわち、この例では光透過部５８と光制御部５９との界面のうち傾斜角がθＵ１である部位と傾斜角がθＵ２である部位とで２回太陽光を全反射して偏向し、まぶしさの原因となる直達光を防止している。
仮に光制御部の当該傾斜角が全部に亘ってθＵ２であったとすれば、ＬＳ３は大きな仰角（太陽光進行角）θＰ３で光透過部に入射するので、光制御部と光透過部との界面で全反射することができず、透過してしまい、直達光として室内に入射してしまう。
これに対して、光制御部５９によれば、このような太陽光ＬＳ３をも全反射させて直達光とならないように偏向させることが可能となる。
【０１０９】
以上からわかるように、採光シート５０によれば、傾斜角θＵ１、θＵ２がθＵ１＞θＵ２の関係を有していれば、光ＬＳ２、ＬＳ３のように進行角が異なる太陽光の少なくとも一部を全反射で偏向させて室内側に提供することができ、太陽光の室内への入射量を大きく減じることなく、かつ、少なくとも一部の直達光（いわゆる直射日光）をなくすことが可能となる。これにより明るく、快適な室内空間を形成することができる。
【０１１０】
さらに、採光シート５０には上記したように光透過部５８が備えられており、光透過部５８が配置される部位の光制御層５７の表裏面は平行、平滑に形成されている。これにより、上記他の形態例と同様、室内側から室外側の景色を視認することができる。
【０１１１】
また、本形態においても、上記説明したような光制御部のピッチＰ及び厚さＤの関係を有しており、さらに採光シートを挟んで他方側の遮像性を高めることができる。
【０１１２】
ここで、偏向される向きは界面に入射する角度である太陽光進行角θＰ、及び光制御部の傾斜角であるθＵ１、θＵ２に依存する。従って、ここで全反射した光が最終的に水平より上向きとなるようにθＵ１、θＵ２が決められることが好ましい。
【０１１３】
また、上記のように採光シート５０によれば、θＵ１＞θＵ２であれば、効率よく室内に太陽光を取り入れつつも直達光の少なくとも一部をなくすことができる。ただし、より効果的に太陽光を光制御部５９で全反射させ、太陽光を偏向して室内側に出射させる観点から好ましいθＵ１、θＵ２を規定することができる。以下に詳しく説明する。
【０１１４】
θＵ１は、上記光路例からもわかるように、太陽の仰角が高い場合に採光シートに入射した太陽光を適切に全反射することができる角度を設定することができる。これには例えば一年のうちで最も南中高度が高いときの仰角θＳＨを設定することができる。すなわち、仰角θＳＨとしたときの光透過部内の太陽光進行角θＰＨは上記式（２）で表されるので、この角度θＰＨで進行する光を全反射することができるようにθＵ１を設定する。ただし、仰角θＳＨは緯度により異なるので、異なる緯度を跨ぐように広がる所定の領域（例えば国や地域等）におけるθＳＨ１乃至θＳＨ２により（θＳＨ１＜θＳＨ２）、θＵ１の範囲を規定することができる。すなわち、式（１１）をθＵ１の好ましい範囲とすることができる。
【０１１５】
【数１１】
2017068104.tif 000014
【０１１６】
ここで日本国内では、表１の通りであることから、θＵ１は式（１２）の範囲にあることが好ましい。
【０１１７】
【数１２】
2017068104.tif 000015
【０１１８】
一方、θＵ２は、上記光路例からもわかるように、太陽の仰角が低い場合に採光シートに入射した太陽光を適切に全反射することができる角度を設定することができる。これには例えば一年のうちで最も南中高度が低いときの仰角θＳＬを設定することができる。すなわち、仰角θＳＬとしたときの光透過部内の太陽光進行角θＰＬは上記式（５）で表されるので、この角度θＰＬで進行する光を全反射することができるようにθＵ２を設定する。
【０１１９】
ただし、仰角θＰＬは緯度により異なるので、異なる緯度を跨ぐように広がる所定の領域（例えば国や地域等）におけるθＳＬ１乃至θＳＬ２により（θＳＬ１＜θＳＬ２）、θＵ２の範囲を規定することができる。ここで、θＵ２は０度より小さくなる（図１０とは反対に傾く。）と製造が困難になることから、０度以上であることが好ましい。以上より、式（１３）をθＵ２の好ましい範囲とすることができる。
【０１２０】
【数１３】
2017068104.tif 000016
【０１２１】
ここで日本国内では、沖縄におけるθＳＬは４０．５度であることから、θＵ２は式（１４）の範囲にあることが好ましい。
【０１２２】
【数１４】
2017068104.tif 000017
【０１２３】
図１４は、第三の形態を説明する図であり、第三の形態に含まれる光制御層６７の断面の一部を拡大して表した図であり、図１０に相当する。本形態は光制御層６７の断面形状に特徴を有するので、光制御層６７についてのみ説明する。他の部位については上記説明したものと同様である。
【０１２４】
光制御層６７は光透過部６８及び光制御部６９を有している。光透過部６８は、図１４に示した断面を有して基材層の面に沿った一方向（建物１に配置された姿勢で水平方向）に延びるように配置されるとともに、該一方向とは異なる方向（建物１に配置された姿勢で鉛直方向）の基材層の面に沿って複数の光透過部６８が所定の間隔で配列されている。本形態では隣り合う光透過部６８は基材層側の端部で連結され、一体化されている。
一方、光制御部６９は隣り合う光透過部６８の間に配置されている。
【０１２５】
光透過部６８は、光を透過する部位であり、光制御層６７のうち光透過部６８が配置された部位における基材層１６側（図９参照）の面とその反対側（接着層１２側、図９参照）の面とは平行、平滑に形成されていることが好ましい。これによって、上記のように室外側の景色がさらに見やすくなる。
【０１２６】
本形態では光透過部６８は図１４に表れる断面で、２つの光制御部６８間において略台形の断面を有しており、室外側が短い上底、室内側が長い下底であり光制御部６９との界面を構成する辺が脚部となっている。ただし、脚部は後述する光制御部６９の形状に沿った形状となるので、必ずしも一直線ではない。
【０１２７】
光制御部６９は、隣り合う２つの光透過部６８間に形成される部位である。すなわち、上記したように光透過部６８はシート面に沿った方向に所定の間隔で並列され、光透過部６８間には、所定の形状を有する溝状の凹部が形成されている。本形態における凹部は、後述する光制御部６９の断面形状に応じた断面形状を有する溝であり、ここに光制御部６９を構成する材料が充填されることにより光制御部６９が形成されている。従って光制御部６９は凹部に基づいた断面形状を具備している。
【０１２８】
光制御部６９は、ここに照射された光を全反射して偏向可能に構成された部位である。そのため、光制御部６９は光透過部６８よりも屈折率が低い材料が充填されている。これによれば、光制御部６９と光透過部６８との屈折率差、及びその界面に入射する光の角度の関係により、該入射した光が全反射条件を満たせばここでその光を全反射して偏向することができる。後で詳しく説明するが、偏向された光は、その向きが変わり、例えば天井に照射されるなどしてまぶしさを与える直達光でなくなることができる。光制御部６９を形成する材料の屈折率は１．５６以下が好ましいが、原材料の汎用性から１．４５以上１．５６以下の範囲が好ましく、１．４７以上１．５０以下であることがより好ましい。
また、そのときにおける光透過部６８と光制御部６９との屈折率差は、０．０３以上が好ましく、より好ましくは０．０５以上０．１３以下である。屈折率差が０より大きく０．０３より小さい範囲では、全反射時の波長分散（波長により全反射角度が異なることによる分散。）が生じた際に長波長の成分が全反射せず、短波長の成分のみが全反射することがあり、色彩の変化が生じる虞がある。一方、屈折率差が０．１３より大きいと、短波長の成分の屈折率が長波長の屈折率の成分の屈折率に対して大きくなる傾向にあり、虹状のムラが顕著に表れる虞がある。
【０１２９】
また本形態でも、上記した各形態と同様に、光制御部６９が並列されるピッチに関し、連続して隣り合う１０個の光制御部６９において、隣り合う光制御部６９のピッチの最大値と最小値との差が、３μｍ以上５μｍ以下の範囲で異なっている。これにより、採光性能を低下させることなく、特に窓から離れた位置において採光シートを挟んで遮像性を高めることが可能となる。これは、光制御部６９のピッチを複数の光制御部間で適切に変えることにより、偏向する入射光（外光）や、偏向後の光の状態の規則性が緩和され、また副次的に、光制御部の配置規則性を緩和する事で規則的配置に起因する視認性をも低くし、特に窓から離れた位置において採光シート越しに観察を行う際に、モアレや干渉による像の分離などの光学的幻惑を与える事なく、かかる観点において採光シートを挟んで遮像性を高めることができたと考えられる。
【０１３０】
また、隣り合う光制御部６９との間で、連続して隣り合う１０個の光制御部６９において、光制御部６９の厚さの最大値と最小値との差が１０μｍ以上あることが好ましいことについても上記各形態と同様である。これにより、採光性能を低下させることなく採光シートを挟んで他方側の遮像性を高める効果がさらに顕著なものとなる。
【０１３１】
さらに、本形態では光制御部６９は次のような形状を備えている。図１４を参照しつつ説明する。
光制御部６９は上記のように隣り合う光透過部６８間の凹部に沿った形状となるが、図１４に表れる断面で採光パネルを建物に配置した姿勢において上部となる辺６９ａ、及び下部となる辺６９ｂを有している。そのうち上部となる側の辺６９ａは、上方に凸となるように湾曲して形成されている。これにより、後述するように偏向部６９の辺６９ａで全反射した光が広く拡散して狭い範囲に集中することを抑えることができる。詳しくは光路例を示しつつ後で説明する。
【０１３２】
上記のように辺６９ａは図１４に表された姿勢とされたときに上方に凸となっていれば特に限定されることはない。これには辺６９ａが複数の直線が連続する折れ線により形成される例や、曲線である例を挙げることができる。
曲線状である場合、図１４に表したように任意の位置における接線が水平面（採光シートのシート面の法線）に対して角度θＵ３を具備し、接線が室外側（太陽側）に向けて上となるように傾斜しているとともに、辺６９ａの各部位における角度θＵ３が室外側から室内側に向けて連続的に変化していることが好ましい。これにより上記効果をより顕著なものとすることができる。θＵ３の範囲は特に限定されることはないが、光制御部６９の室内外方向中央部において、θＵ３が０度より大きく３０度より小さいことが好ましい。
【０１３３】
一方、辺６９ａとは反対側の下部となる側の辺６９ｂは、その傾斜角が水平面（採光シートのシート面の法線）に対してθＤ３とされている。θＤ３は特に限定されることはないが、製造の観点から０度以上３０度以下とすることが好ましい。
【０１３４】
以上説明した光制御層６７を含む採光シートを具備する採光パネルにより採光装置を形成し、これを図１に示したように建物１の開口部に配置する。次に、このように採光シートが配置された場面における作用について、主要な光路に基づいて説明する。説明に必要な光路例を図１６に表した。
【０１３５】
図１４に光路例である太陽からの光ＬＳ４、光ＬＳ５を示した。図１４からわかるように光ＬＳ４、光ＬＳ５はそのときの太陽高度に基づいて仰角（水平面からなす角）で採光パネルの異なる位置に照射される平行な２つの光である。採光パネルに入射した光ＬＳ４、光ＬＳ５は光制御層６７の光透過部６８内を進む。光透過部６８を進行した太陽光が光透過部６８と光制御部６９との界面に達したとき、光透過部６８と光制御部６９との屈折率差、及び太陽光の進行角の関係が全反射臨界角以上であれば図１４のように界面で全反射する。これにより太陽光が偏向されて、まぶしさの原因となる直達光を抑制することが可能となる。ここで、入射したときには平行であった光ＬＳ４、光ＬＳ５は、光制御部６９の辺６９ａのそれぞれ異なる位置に達する。辺６９ａは上記したように凸状に形成されているので、当該２つの光ＬＳ４、光ＬＳ５は異なる方向に全反射される。これにより反射光が異なる方向に進み、拡散され、反射光が狭い範囲に集中することを防止することができる。従って室内側の広い範囲に光を採り入れることが可能となる。
【０１３６】
以上からわかるように、採光シートによれば、太陽光の室内への入射量を大きく減じることなく、かつ、少なくとも一部の直達光（いわゆる直射日光）をなくすことが可能となる。これにより明るく、快適な室内空間を形成することができる。その際には本形態では室内側に取り込まれた光が室内側の広い範囲に拡散するように構成されているので効率よく室内を明るくすることが可能である。
【０１３７】
さらに、本形態の採光シートには上記したように光透過部６８が備えられており、光透過部６８が配置される部位の光制御層６７の表裏面は平行、平滑に形成されている。これにより、上記した他の形態と同様に室内側から室外側の景色を視認することができる。
【０１３８】
そして、光制御部６９のピッチ、さらには厚さについて上記したように構成されているので、採光の効率を低下させることなく採光シートを挟んで他方側の遮像性を高めることができる。
【０１３９】
図１５は、第四の形態を説明する図で、第四の形態に含まれる光制御層７７の断面の一部を拡大して表した図であり、図１０に相当する。本形態は、光制御層７７の断面形状に特徴を有するので、光制御層７７についてのみ説明する。他の部位については上記説明したものと同様である。
【０１４０】
光制御層７７は光透過部７８及び光制御部７９を有している。光透過部７８は、図１５に示した断面を有して基材層の面に沿った一方向（建物１に配置された姿勢で水平方向）に延びるように配置されるとともに、該一方向とは異なる方向（建物１に配置された姿勢で鉛直方向）の基材層の面に沿って複数の光透過部７８が所定の間隔で配列されている。本形態では隣り合う光透過部７８は基材層側の端部で連結され、一体化されている。
一方、光制御部７９は隣り合う光透過部７８の間に配置されている。
【０１４１】
光透過部７８は、光を透過する部位であり、光制御層７７のうち光透過部７８が配置された部位における基材層１６（図９参照）側の面とその反対側（接着層１２側、図９参照）の面とは平行、平滑に形成されていることが好ましい。これによって、上記した形態と同様に室外側の景色がさらに見やすくなる。
【０１４２】
本形態では光透過部７８は図１５に表れる断面で隣り合う光制御部７９の間において略台形の断面を有しており、室外側が短い上底、室内側が長い下底であり光制御部７７との界面を構成する辺が脚部となっている。ただし、脚部は後述するように光制御部７９の形状に沿った形状となるので、必ずしも一直線状とは限らない。
【０１４３】
光制御部７９は、隣り合う２つの光透過部７８間に形成される部位である。すなわち、上記したように光透過部７８はシート面に沿った方向に所定の間隔で並列され、光透過部７８間には、所定の形状を有する溝状の凹部が形成されている。本形態における凹部は、光制御部７９の断面形状に応じた断面形状を有する溝であり、ここに光制御部７９を構成する材料が充填されることにより光制御部７９が形成されている。従って光制御部７９は当該凹部に基づいた断面形状を具備している。
【０１４４】
光制御部７９は、上記した光制御部と同様に、ここに照射された光を全反射して偏向可能に構成された部位である。そのため、光制御部７９は光透過部７８よりも屈折率が低い材料が充填されている。これによれば、光制御部７９と光透過部７８との屈折率差、及びその界面に入射する光の角度の関係により、該入射した光が全反射条件を満たせばここでその光を全反射して偏向することができる。
【０１４５】
さらに上記の形態に加えて、本形態では光制御部７９は次のような形状を備えている。図１５を参照しつつ説明する。
光制御部７９は図１５に表れる断面において、台形を有している。長い下底が室外側（光透過部７８の上底側）、短い上底が室内側（光透過部７８の下底側）となり、上下が脚部となる台形である。
脚部のうち、上側となる辺７９ａは、図１５に表された姿勢であるとき、その傾斜角が水平面（採光シートのシート面の法線）に対して角度θＵ４で室外側（太陽側）上方に向けて傾斜している。
一方、辺７９ａとは反対側となる下部の脚部となる側の辺７９ｂは、図１５からわかるように微視的には階段状であるが、全体としてはその傾斜角が水平面（採光シートのシート面の法線）に対して所定の角度で室外側下方に向けて傾斜している。当該辺７９ｂの傾斜角は特に限定されることはないが、製造の観点から０度以上３０度以下とすることが好ましい。
【０１４６】
さらに辺７９ｂは、ここで全反射する光を散乱して反射するように構成されている。これにより後述するように室外側から採光シートを見上げたときに室内側の様子を伺い知ることができるという不具合を防止することができる。
光を散乱して反射するための具体的形態は特に限定されることはないが、例えば辺７９ｂが微小な凹凸を有するように構成してもよい。
このような凹凸面は図１５に表れているように辺７９ｂの傾斜に沿って階段状であることが好ましい。具体的には次のとおりである。凹凸の厚さ方向の大きさ（図１５にＴで示した大きさ）は１μｍ以上、５０μｍ以下であることが望ましい。１μｍより小さいと光の波長程度になり、幾何光学上の全反射の効果が得られなくなる可能性がある。一方、光制御層７７の厚さ方向大きさは５０μｍ以上３００μｍ以下が望ましいことから、Ｔが５０μｍより大きくなると階段状にならない場合がある。
また、凹凸の幅方向大きさ（図１５にＳで示した大きさ）は、０．５μｍ以上、より望ましくは１．０μｍ以上である。一方、幅方向大きさは１０μｍ以下であることが望ましい。１０μｍ以上より大きくなると、光制御部７９の幅に近くなりすぎ、適切な階段状にならない虞がある。
【０１４７】
以上説明した光制御層７７を含む採光シートを具備する採光パネルにより採光装置を形成し、これを図１に示したように建物１の開口部に配置する。次に、このように採光シートが配置された場面における作用等について主要な光路に基づいて説明する。
【０１４８】
図１５からわかるように光ＬＳ６はそのときの太陽高度に基づいた仰角（水平面からなす角）で採光パネルに照射される光である。採光パネルに入射した光ＬＳ６は採光パネルを透過するうちに光制御層７７の光透過部７８内を進む。光透過部７８を進行した太陽光が光透過部７８と光制御部７９との界面に達したとき、光透過部７８と光制御部７９との屈折率差、及び太陽光の進行角の関係が全反射臨界角以上であれば図１５のように界面で全反射する。これにより太陽光が偏向されて、まぶしさの原因となる直達光を抑制することが可能となる。
【０１４９】
一方、例えば夜間において、室内側の方が室外側よりも明るい場合、図１５にＬＮ１で示したような光が室内側から室外側に出光する。この光は室内側の様子を伺える情報を含んでおり、光透過部と光制御部との界面で全反射して室外にこの情報が明確に見える形で出射される虞がある。しかしながら本形態では、光制御部７９の下部の辺７９ｂに光を散乱する手段が具備されているので、図１５に光ＬＮ１で示したように、室内側の様子を伺える情報を含む光を散乱して室外側に出射する。従って、光制御層７７を含む採光シートによれば、光透過部と光制御部との界面で反射する光については、室内側からの光が明確さを喪失して室外に出射されるので、室外側から室内の様子を伺える状態が解消される。
【０１５０】
図１６は、第五の形態を説明する図で、第五の形態に含まれる光制御層８７の断面の一部を拡大して表した図であり、図１０に相当する。本形態は、光制御層８７の断面形状に特徴を有するので、光制御層８７についてのみ説明する。他の部位については上記説明したものと同様である。
【０１５１】
本形態も光制御層８７は光透過部８８及び光制御部８９を備える点で上記した形態と同様である。ただし本形態では光制御部８９のうち室外側には光を吸収する部位である光吸収部８９ｅが備えられている点が異なる。
【０１５２】
光吸収部８９ｅはここに照射された光を吸収できるように構成された部位である。光吸収部８９ｅは可視光線（３６０ｎｍ以上８３０ｎｍ以下の波長の光）を１０％以上吸収できる部位である。光吸収部８９ｅにおける可視光線の吸収率が１０％以上でなければ光吸収部８９ｅが後述する機能を発揮し難い。また、光吸収部８９ｅにおける可視光線の吸収率は９０％以下であることが好ましい。光吸収部８９ｅにおける可視光線の吸収率は９０％以下とすれば、光吸収部８９ｅを構成する組成物の調整が容易になる。
【０１５３】
光吸収部８９ｅの厚さ（図１６の紙面左右方向の大きさ）は１μｍ以上１０μｍ以下であることが好ましい。光吸収部８９ｅをこの程度の厚さにすることによって、光吸収部８９ｅの可視光線の吸収率を均一にしやすくなる。
【０１５４】
光吸収部８９ｅは、例えば、光透過性を有する樹脂中に光吸収性を有する粒子（光吸収粒子）が分散された組成物によって構成することができる。
ここで光透過性を有する樹脂としては光透過部８８を構成する樹脂と同様のものを用いることができる。
一方、上記光吸収粒子としては、カーボンブラック等の光吸収性の着色粒子が好ましく用いられる。ただし、これに限定されず、例えば吸収すべき光の特性に合わせて特定の波長を選択的に吸収する着色粒子を光吸収粒子として用いてもよい。着色粒子の具体例としては、カーボンブラック、グラファイト、黒色酸化鉄等の金属塩、染料、顔料等で着色した有機微粒子や着色したガラスビーズ等を挙げることができる。これらの中では、コスト面、品質面、入手の容易さ等の観点から着色した有機微粒子が好ましい。より具体的には、カーボンブラックを含有したアクリル架橋微粒子や、カーボンブラックを含有したウレタン架橋微粒子等が好ましい。
【０１５５】
本形態では光吸収部８９ｅを上記のように構成したが、光吸収部は光を吸収することができればその形態は限定されることない。例えば、顔料や染料で着色した樹脂
で光吸収部を構成してもよい。
【０１５６】
このような光制御層８７により、上記したように外光を偏向して室内に取り入れることができるとともに、室内側からは明確に室外側をみることが可能となる。これに加えて光制御層８７には光吸収部８９ｅが形成されているので、採光シートのシート面に対して略垂直に採光シートに入射する外光のうち、その一部は光吸収部８９ｅに入射して吸収される。このように光吸収部８９ｅが外光の一部を吸収することによって、室外側から室内側を見たときに不自然に白く見えることを防止し、自然な暗さで室内側を見ることができる。光吸収部８９ｅが備えられていなければ、光制御層に達した光は光制御部に入射して散乱される。このように光が散乱されると、室外側から室内側を見たときに不自然に白く見える虞がある。上記のように光吸収部８９ｅが外光の一部を吸収することによって、光制御部８９に達した光の一部を光吸収部８９ｅで吸収して散乱することを抑制し、室外側から室内側を見たときに不自然に白く見えることを抑制できる。
【０１５７】
本態様の採光シートは、マットハードコート層や平坦化層等を有していてもよい。
【０１５８】
変形例として次のような形態とすることもできる。図１７に合わせガラス１００の層構成を説明する図を示した。本形態では、入射面側から、第１ガラス層と、第１封止部と、光制御層と、第２封止部と、および第２ガラス層と、をこの順で有し、上記光制御層は、上記した光制御層と同様であり、第１ガラス層または第２ガラス層の一方の面上には、光拡散層が配置された合わせガラスの態様である。
【０１５９】
すなわち、合わせガラス１００は、第１ガラス層１４１、第１封止材１４２、光制御層１２０、第２封止材１４３、および第２ガラス層１４４がこの順で積層されたものであり、第１ガラス層１４１側を合わせガラス１００の入射面側とする。また、第２ガラス層１４４の表面上には、光拡散層１２２Ａが配置されている。光制御層１７、基材層１６については、上記と同様であるため、ここでの説明は省略する。
【０１６０】
本態様によれば、上述の構成を有する合わせガラスとすることで、光制御層内の光透過部と光偏向部との界面が光反射面となり、上記光反射面により光が跳ね上げられることで採光量を増加させることができる。また、光拡散層により光が拡散されるため、採光シート全体で高プライバシー隠蔽性を発揮することができる。さらに、上述の構成を有する合わせガラスとすることで、開口部等の所望の場所への設置が容易となる。
【０１６１】
本態様における光拡散層１２２Ａは、上記第１ガラス層１４１または第２ガラス層１４４の一方の面上に配置される光拡散性を有する層である。
【０１６２】
本態様における第１ガラス層１４１および第２ガラス層１４４は、光制御層を挟持するものである。第１ガラス層１４１および第２ガラス層１４４は、透明であり、高い光透過性を有する。第１ガラス層１４１および第２ガラス層１４４に用いられるガラスの材質としては、ソーダ石灰ガラス、アルミノケイ酸ガラス、ホウケイ酸ガラス等の無機ガラス、ポリカーボネートやポリメチルメタクリレート等の有機ガラス、無機・有機ハイブリットガラス等が挙げられる。
【０１６３】
また、第１ガラス層１４１および第２ガラス層１４４に用いられるガラスの種類としては、普通ガラス、クリアフロートガラス、高透過ガラス、耐熱ガラス、金網入りガラス等、一般に合わせガラスに用いられる種類のものが挙げられる。また、後述する光拡散層と一体化したガラス層に用いられるガラスの種類も挙げられる。
【０１６４】
第１ガラス層１４１および第２ガラス層１４４は、それぞれ同じ材質であっても良く、異なっていても良い。また、必要に応じて複数枚のガラス板を有していても良い。
【０１６５】
第１ガラス層１４１および第２ガラス層１４４の厚さは、同じであってもよく異なってもよい。上記厚さとしては、１００μｍ〜５０ｍｍの範囲内、中でも５００μｍ〜３０ｍｍの範囲内が好ましい。第１ガラス層および第２ガラス層の厚さを上記範囲内とすることにより、所望の機械的特性および光学特性を有する合わせガラスとすることができる。
【０１６６】
第１ガラス層１４１および第２ガラス層１４４の可視光線透過率としては、合わせガラス全体での光学特性を損なわない程度であればよく、例えば８０％以上、好ましくは８２％以上、さらに好ましくは８３％以上、特に好ましくは８５％以上である。
【０１６７】
第１ガラス層１４１または上記第２ガラス層１４４の一方が、上記光拡散層１２２Ａと一体であることが好ましい。第１ガラス層１４１または第２ガラス層１４４の単一層で、光制御層１７を支持する機能と、合わせガラス全体に所望の光学特性を付与する機能とを発揮することができる。
光拡散層が第１ガラス層１４１または第２ガラス層１４４の一方と一体であるとは、ガラス層と光拡散層との界面が無いこと、すなわち、ガラス層自体が光拡散機能を有するものである。
具体的には、第１ガラス層１４１または第２ガラス層１４４の一方に、光散乱粒子が含まれる態様、第１ガラス層１４１または第２ガラス層１４４の一方の面が、所望の凹凸形状を有する態様であることをいう。
このような光拡散層と一体化したガラス層として用いられるガラスの種類としては、例えば、すりガラス、フロストガラス、型板ガラス等が挙げられる。
【０１６８】
本態様においては、第１ガラス層１４１または第２ガラス層１４４のうち、合わせガラスの出射面側に位置するガラス層が、光拡散層と一体であることが好ましい。なお、図１８は、第２ガラス層と光拡散層とが一体である態様（光拡散機能つきガラス層１４５を有する態様）の一例を示すものである。
【０１６９】
本態様における第１封止部１４２および第２封止部１４３は、第１ガラス層１４１と光制御層１７との間、および第２ガラス層１４４と光制御層１７との間を封止する部材である。本態様において、第１封止部１４２および第２封止部１４３は、光透過性を有する。
【０１７０】
封止部としては、高光透過性を示し、第１ガラス層１４１と光制御層１７との間、および第２ガラス層１４４と光制御層１７との間を接着可能な部材であればよく、一般的な合わせガラスにおいて用いられる接着層とすることができる。接着層の材料としては、例えば、エチレン-酢酸ビニル共重合樹脂（ＥＶＡ）、ポリビニルブチラール樹脂（ＰＶＢ）、などの熱可塑性樹脂及び熱硬化性樹脂等を用いることができ、これらの樹脂は単独で用いてもよく２種以上を併用して用いてもよい。中でも、ＥＶＡ、ＰＶＢの単独使用、またはＥＶＡおよびＰＶＢの併用が好ましい。
【０１７１】
さらに、第１封止部１４２または第２封止部１４３の一方には、光拡散層１２２Ａに用いられる光拡散粒子が所望の量、含有されていてもよい。第１封止部１４２または第２封止部１４３を、光拡散層としても機能させることができ、別途、光拡散層を設ける必要がないからである。光拡散粒子の含有量等については、光拡散層の第１態様の項で説明した量と同様とすることができる。
【０１７２】
封止部の厚さとしては、第１ガラス層１４１と光制御層１７との間、および第２ガラス層１４４と光制御層１７との間を封止することができ、光透過性を損なわない大きさであれば特に限定されず、例えば１００μｍ〜５０００μｍの範囲内、中でも２００μｍ〜１６００μｍの範囲内であることが好ましい。
【０１７３】
封止部の可視光線透過率としては、上述のガラス層の可視光線透過率と同様とすることができる。
【０１７４】
本態様では、一般に合わせガラスに用いられる任意の層を有していても良い。
また、本態様では、合わせガラスとして単独で用いることもでき、また、一対のガラス間に中空層を設けた複層ガラスにおける上記一対のガラスのうち少なくとも一方として用いることもできる。
【実施例】
【０１７５】
実施例では、隣り合う光制御部とのピッチの差、及び厚さの差を変更して、採光性能及び採光シートを挟んで反対側の遮像性を調べた。図１９に形状を説明するための図を示した。図１９からもわかるように、ここでは、図９、図１０に示した採光シート５５の光制御層５７の例に倣った形状とした。表２に図１９に示した各寸法、および評価の結果を表した。表２で示した各寸法では、連続して隣り合う１０個の光制御部において、最大のピッチをＰ１、最小のピッチをＰ２、最大の厚さをＤ１、最小の厚さをＤ２とした。採光シートは次のように作製した。
【０１７６】
＜採光シートの作製＞
１．光透過部用組成物の調整
（光硬化性プレポリマー（Ｐ１）の調整）
まず、ビスフェノールＡエチレンオキシド、キシリレンジイソシアネート、フェノキシエチルアクリレート、２−ヒドロキシエチルアクリレート、およびビスマストリ（２−エチルヘキサノエート）を質量比で３０:１５:５０:５:０．０２となるように混合し、８０℃で１０時間反応させ、光硬化性プレポリマー（Ｐ１）を得た。
【０１７７】
（光硬化性プレポリマー（Ｐ２）の調整）
ビスフェノールＡエチレンオキシド、イソホロンジイソシアネート、フェノキシエチルアクリレート、ビスマストリ（２−エチルヘキサノエート）を質量比で３０:２０:５０:０．０２となるように混合し、８０℃で１０時間反応させ、光硬化性プレポリマー（Ｐ２）を得た。
【０１７８】
（光透過部用組成物の調整）
次に、光硬化性プレポリマー（Ｐ１）を３０質量部、光硬化性プレポリマー（Ｐ２）を３０質量部、反応性希釈モノマー（Ｍ１）としてフェノキシエチルアクリレートを１０質量部、反応性希釈モノマー（Ｍ２）としてビスフェノールＡエチレンオキシドを３０質量部、金型離型剤（Ｓ１）としてテトラデカノールエチレンオキシド１０モル付加物のリン酸エステルを０．０３質量部、金型離型剤（Ｓ２）としてステアリルアミンエチレンオキシド１５モル付加物０．０３質量部、光重合開始剤（Ｉ１）として１−ヒドロキシシクロへキシルフェニルケトン(商品名：イルガキュア１８４、メーカー名：ＢＡＳＦ）を３質量部を混合し、均一化して、光透過部用組成物を得た。
この光透過部用組成物を厚さ１００μｍで塗工し、高圧水銀により８００ｍＪ／ｃｍ２の紫外線を照射して塗膜を硬化させ、多波長アッベ屈折率計(株式会社アタゴ製)を用いて、波長５８９ｎｍでの屈折率を測定したところ、１．５５０であった。
【０１７９】
２．金型ロールの作製
光透過部の作製に供される金型ロールを作製した。金型ロールは円柱状であり、銅メッキが施され、当該銅メッキ部分をバイトにより切削して光透過部に対応する複数の溝を形成した。バイトとしてはダイヤモンドバイトを用いた。ロール軸方向に所定のピッチで金型ロールの銅メッキ層の外周を切削し、この切削したロールをクロムメッキした。
【０１８０】
３．光制御層の形成
上記で作製した金型ロールとニップロールとの間に基材層を搬送した。この基材層の搬送に合わせ、上記光透過部用組成物を基材層の凹凸形状面と反対側の面上に供給し、金型ロールおよびニップロール間の押圧力により、基材層と金型ロールとの間に光透過部用組成物を充填した。その後、基材層側から高圧水銀灯により８００ｍＪ/ｃｍ２の紫外線を照射して光透過部用組成物を硬化させて、光透過部を形成した。その後、剥離ロールにより、金型ロールから光透過部を離型し、上記光透過部の一方の面側に形成された複数の溝部内の光偏光部が空気層である光制御層を基材層上に形成した。
【０１８１】
４．接着層の形成
アクリル系樹脂の粘着剤(商品名：ＳＫダイン２０９４、綜研化学株式会社、固形分２５．０％、酢酸エチルおよびメチルエチルケトンの混合溶媒)を１００質量部と、架橋剤(Ｅ−５ＸＭ、Ｌ−４５、綜研化学株式会社、固形分５．０％)を０．２８質量％と、１，２，３−ベンゾトリアゾールを０．２５質量部と希釈剤(トルエン／メチルエチルケトン／シクロヘキサノン＝２７．６９ｇ／２７．６９ｇ／４．６１ｇ)を３２．０質量部と、を混合して接着層用組成物を得た。
上記接着層用組成物を離型フィルム(商品名：Ｅ７００７、東洋紡績社製、厚さ３８μｍ)上に塗布して乾燥させ、上記光制御層の溝部開口を有する面と貼り合わせた。
【０１８２】
＜評価＞
１．採光性能評価
採光部材の採光性能は、以下の方法により測定される。
まず、測定装置として、３次元変角分光測色システム（村上色彩技術研究所社製  ＧＣＭＳ１１）を用い、入射面側に光源が、出射面側に受光器が位置するように、測定装置に採光シートを固定する。測定装置の設定は下記の通りとする。
・測定モード：透過測定モード
・入射角度：１０°〜７０°まで１０°毎（入射面の法線方向に対する光の入射角度）
・受光角度：−７０°〜＋７０°まで１°毎（出射面の法線方向に対する光の出射角度。正の符号を天側とする）
・光源：Ｄ６５
・視野：２°
・測定面積：受光角度が０°で約φ３ｍｍ、受光角度が７７°で約３ｍｍ×１３．３ｍｍ（楕円）
【０１８３】
各入射角度における−７０°〜＋７０°で得られる出射光ピークの総和を１００％とし、それに対して各入射角度における０°〜＋７０°で得られる出射光ピークの総和の割合を採光性能として算出した。
【０１８４】
２．遮像性評価
本発明例１、２および比較例１、２で得られた採光シートを窓に貼付し、その後ろに被写体を窓から１０ｃｍの間隔を空けて設置し、主観評価にて、被写体の輪郭が判別不可能なレベルを○、さらに判別不可能なレベルを◎、判別可能なレベルを×とした。すなわち◎、〇においては、採光シートを挟んで反対側の遮像性に優れることになる。被写体は造花を使用し、画像は採光シートから十分に離れた位置である１ｍ離隔した位置からカメラで撮影した。また、主観評価は、屋内側から採光シート付き窓を介して屋外側にある被写体を観測する場合と、屋外側から採光シート付き窓を介して屋内側にある被写体を観測する場合との２方向からの観察により行った。造花の花びらの輪郭を認識できないと感じるレベルを被写体の輪郭が判別不可能なレベルとした。
【０１８５】
【表２】
2017068104.tif 000018
【０１８６】
表２からわかるように、いずれの例も採光性能は同じであった。そして、Ｐ１−Ｐ２を３μｍ以上５μｍとすることにより、本発明例１及び本発明例２のように、遮像性において採光シートを挟んで他方側がよく遮像され、◎又は○とすることができた。そして、さらに厚さの差を１０μｍ以上とすることにより、さらに採光シートを挟んで他方側がよく遮像されるものとなった。
【符号の説明】
【０１８７】
２  窓
３  枠
１０、５０  採光パネル
１１  パネル
１２  接着層
１５、５５  採光シート
１６  基材層
１７、５７、６７、７７、８７  光制御層
１８、５８、６８、７８、８８  光透過部
１９、５９、６９、７９、８９  光制御部
２０  ハードコート層
【図１】
2017068104.tif 000019
【図２】
2017068104.tif 000020
【図３】
2017068104.tif 000021
【図４】
2017068104.tif 000022
【図５】
2017068104.tif 000023
【図６】
2017068104.tif 000024
【図７】
2017068104.tif 000025
【図８】
2017068104.tif 000026
【図９】
2017068104.tif 000027
【図１０】
2017068104.tif 000028
【図１１】
2017068104.tif 000029
【図１２】
2017068104.tif 000030
【図１３】
2017068104.tif 000031
【図１４】
2017068104.tif 000032
【図１５】
2017068104.tif 000033
【図１６】
2017068104.tif 000034
【図１７】
2017068104.tif 000035
【図１８】
2017068104.tif 000036
【図１９】
2017068104.tif 000037